(57)【特許請求の範囲】
【請求項１】
潜像担持体と、
上記潜像担持体上に画像情報に応じた書込光を偏向走査することにより照射して潜像担持体上に潜像を形成する光書込装置と、
上記潜像担持体上の潜像を現像する現像部と、
現像剤を収納した現像剤収納部と、
現像剤収納部の現像剤を現像部へと補給する現像剤補給装置とを備え、
上記光書込装置が、装置本体に対して着脱可能に設けられた画像形成装置において、
上記光書込装置が、上記現像剤収納部に案内されて装置本体に対して着脱されるよう構成したことを特徴とする画像形成装置。
【請求項２】
請求項１の画像形成装置において、
上記光書込装置の装置本体の着脱時に上記現像剤収納部に案内される被案内部を、上記現像剤収納部の外形形状に沿うような形状としたことを特徴とする画像形成装置。
【請求項３】
請求項１または２の画像形成装置において、
上記現像剤収納部は、上記光書込装置の鉛直方向下方に配置されており、
上記光書込装置は、上記現像剤収納部に支持されながら案内されることを特徴とする画像形成装置。
【請求項４】
請求項１乃至３いずれかの画像形成装置において、
上記光書込装置を装置本体内で位置決めする位置決め部と、
上記光書込装置を装置本体に装着するとき、上記現像剤収納部により案内されてきた上記光書込装置を、上記現像剤収納部から離間する方向へ案内し、上記位置決め部へと導く案内部とを設けたことを特徴とする画像形成装置。
【請求項５】
請求項４の画像形成装置において、
上記光書込装置は、上記光書込装置の装置本体への装着方向に突出し、上記位置決め部に当接して位置決めされる被位置決め部を備え、
上記案内部は、上記被位置決め部と当接して上記被位置決め部を上記位置決め部へと導くものであって、
上記案内部は、上記位置決め部から上記現像剤収納部側へ延びており、
上記案内部の上記光書込装置が上記現像剤収納部から離間する方向の長さが、上記光書込装置装着後の上記現像剤収納部と上記光書込装置との空間距離より長いことを特徴とする画像形成装置。
【請求項６】
請求項４または５の画像形成装置において、
上記位置決め部および上記案内部は、上記光書込装置の装置本体への装着方向および上記光書込装置が上記現像剤収納部から離間する方向のいずれに対しても直交する方向に複数有しており、
上記光書込装置は、複数の案内部に同時に案内されることを特徴とする画像形成装置。
【請求項７】
請求項１乃至６いずれかの画像形成装置において、
上記現像剤収納部を複数備え、
上記光書込装置は、複数の現像剤収納部に支持されながら案内されるものであって、
上記光書込装置の重心が、ある現像剤収納部との支持位置と、この現像剤収納部とは別の現像剤収納部の支持位置との間に位置するよう構成したことを特徴とする画像形成装置。
【請求項８】
請求項１乃至７いずれかの画像形成装置において、
上記光書込装置は、現像剤収納部に支持されながら案内され、かつ、複数箇所上記現像剤収納部と当接するものであって、
鉛直方向および上記光書込装置装着方向に対して直交する方向において、上記光書込装置の上記現像剤収納部との複数の当接箇所の少なくともひとつの現像剤収納部との当接方向が、他の当接箇所の当接方向と異なることを特徴とする画像形成装置。
【発明の詳細な説明】
【技術分野】
【０００１】
本発明は、画像形成装置に関するものである。
【背景技術】
【０００２】
複写機、プリンタ、ファクシミリ等の画像形成装置の中には、潜像担持体上に画像情報に応じた書込光を偏向走査することにより照射して潜像担持体上に潜像を形成する光書込装置、この潜像を現像する現像部を備えたものが知られている。画像形成に伴って現像部内の現像剤としてのトナーが消費されていくと、消費された量のトナーを順次補給する必要がある。そのため、従来の画像形成装置では、トナーを収納した現像剤収納部としてのトナーボトルを設け、そのトナーボトルから現像部へ消費分のトナーを補給するようにしたものがある。
【０００３】
また、書込光を偏向走査する光書込装置は、一般に、光源部からの書込光を偏向走査するポリゴンスキャナ、このポリゴンスキャナによって偏向走査された書込光を潜像担持体表面に結像するための結像レンズ等の光学系部品などを備えている。そして、これらの構成部品は、ハウジングに収納されている。光書込装置は、光源部やポリゴンスキャナが故障した場合に交換できるように、装置本体に着脱可能に設けられている（例えば、特許文献１）。
【０００４】
特許文献１に記載の画像形成装置においては、光書込装置を装置本体内で位置決めするための位置決め部へガイドするガイド部材を有しており、光書込装置は、このガイド部材により位置決め部へ案内されて画像形成装置に装着される。
【発明の概要】
【発明が解決しようとする課題】
【０００５】
しかしながら、特許文献１に記載の画像形成装置においては、画像形成動作には直接関係ない光書込装置をガイドするガイド部材を有しているため、部品点数の増大による装置のコストアップに繋がるという課題があった。
【０００６】
本発明は以上の課題に鑑みなされたものであり、その目的は、部品点数の増大による装置のコストアップを抑えつつ、光書込装置を装置本体に対して着脱を容易に行うことができる画像形成装置を提供することである。
【課題を解決するための手段】
【０００７】
上記目的を達成するために、請求項１の発明は、潜像担持体と、上記潜像担持体上に画像情報に応じた書込光を偏向走査することにより照射して潜像担持体上に潜像を形成する光書込装置と、上記潜像担持体上の潜像を現像する現像部と、現像剤を収納した現像剤収納部と、現像剤収納部の現像剤を現像部へと補給する現像剤補給装置とを備え、上記光書込装置が、装置本体に対して着脱可能に設けられた画像形成装置において、上記光書込装置が、上記現像剤収納部に案内されて装置本体に対して着脱されるよう構成したことを特徴とするものである。
【発明の効果】
【０００８】
本発明によれば、光書込装置が、画像形成に必要な部材である現像剤収納部に案内されて装置本体に対して着脱されるので、画像形成動作には直接関係ない光書込装置をガイドするガイド部材を無くすことができる。これにより、部品点数の増大による装置のコストアップを抑えつつ、光書込装置を装置本体に対して着脱を容易に行うことができる。
【図面の簡単な説明】
【０００９】
【図１】本実施形態に係る画像形成装置としてのプリンタを示す模式図。
【図２】第１書込装置の内部を示す斜視図。
【図３】第１書込装置の光学ハウジングに収納された光学部品を示す斜視図。
【図４】第１書込装置、第２書込装置の光学部品を示す斜視図。
【図５】ポリゴンミラー以降の各光ビームの光路を示す図。
【図６】第１、第２光書込装置と、トナーボトルとを示す断面図。
【図７】Ｃ色のトナーボトルの着脱を示す斜視図。
【図８】トナー補給装置にトナーボトルが設置された状態を示す模式図。
【図９】第１、第２書込装置を装置本体に取り付けた様子を示す斜視図。
【図１０】第１書込装置を装置手前側見た側面図。
【図１１】前側支持部を示す斜視図。
【図１２】前側筐体固定部が前側支持部に載置された様子を示す斜視図。
【図１３】前側筐体固定部が前側支持部に載置された様子を示す断面図。
【図１４】第１書込装置を装置奥側見た側面図。
【図１５】第１後側筐体固定部が第１奥側支持部に、第２後側筐体固定部が第２奥側支持部にそれぞれ取り付けられた様子を示す要部断面図。
【図１６】（ａ）は、第１後側筐体固定部が、第１奥側支持部に支持された様子を示す斜視図であり、（ｂ）は、第１後側筐体固定部が、第１奥側支持部に支持された様子を示す正面図。
【図１７】（ａ）は、第２後側筐体固定部が、第２奥側支持部に支持された様子を示す斜視図であり、（ｂ）は、第２後側筐体固定部が、第２奥側支持部に支持された様子を示す正面図。
【図１８】第１書込装置を装置本体に装着する様子を示す横断面図。
【図１９】第１書込装置を装置本体に装着する様子を、装置手前側見た概略図。
【図２０】第２書込装置を装置本体に装着する様子を、装置手前側見た概略図。
【図２１】第１書込装置が装置本体に装着された様子を示す横断面図。
【図２２】手前側側板が取り外せない場合における第２書込装置の装着の様子を示す斜視図。
【図２３】手前側側板が取り外せない場合における第２書込装置の装着の様子を、装置手前側見た図。
【図２４】手前側側板が取り外せない場合における第２書込装置の装着の様子を示す横断面図。
【発明を実施するための形態】
【００１０】
以下、本発明を、電子写真方式の画像形成装置である複写機に適用した一実施形態について説明する。
【００１１】
図１は、本実施形態に係る画像形成装置としてのプリンタ１０を示す模式図である。
このプリンタ１０は、主に、イエロー（以下「Ｙ」と記載し、イエロー用の部材の符号には色別符号として「Ｙ」を付す。シアン、マゼンタ、ブラックについても同様。）用の作像部４Ｙ、Ｍ（マゼンタ）用の作像部４Ｍ、Ｃ（シアン）用の作像部４Ｃ、Ｂｋ（ブラック）用の作像部４Ｂｋの４つの作像部と、中間転写材である中間転写ベルト１とを有している。また、作像部４Ｙ，Ｍ，Ｃ，Ｂｋの上には、第１の書込装置５ａ、第２の書込装置５ｂの一部が重なるようにして横並びに配置されている。
【００１２】
各書込装置５ａ，５ｂは、パーソナルコンピュータ、ワードプロセッサ等から入力される色分解された画像データを、光源駆動用の信号に変換し、それに従い各レーザ光源ユニット内の半導体レーザを駆動して光ビームを出射するようになっている。
【００１３】
各作像部４Ｙ，４Ｍ，４Ｃ，４Ｂｋは、それぞれ、回転駆動される潜像担持体としての感光体４１Ｙ，４１Ｍ，４１Ｃ，４１Ｂｋ、それぞれの感光体４１Ｙ，４１Ｍ，４１Ｃ，４１Ｂｋの周囲に配置される帯電部４２Ｙ，４２Ｍ，４２Ｃ，４２Ｂｋ、現像部４３Ｙ，４３Ｍ，４３Ｃ，４３Ｂｋ、クリーニング部４４Ｙ，４４Ｍ，４４Ｃ，４４Ｂｋ等により構成されている。感光体４１Ｙ，４１Ｃ，４１Ｍ，４１Ｂｋは、円筒状に形成された感光体ドラムであり、図示しない駆動源により回転駆動される。各帯電部４２Ｙ，４２Ｍ，４２Ｃ，４２Ｂｋは、それぞれ対応する感光体４１Ｙ，４１Ｍ，４１Ｃ，４１Ｂｋ４１の表面を所定電位となるように一様帯電するものである。本実施形態の帯電部４２Ｙ，４２Ｍ，４２Ｃ，４２Ｂｋは、帯電ローラ等の帯電部材を感光体４１Ｙ，４１Ｍ，４１Ｃ，４１Ｂｋの表面に接触又は近接させて帯電処理する接触帯電方式のものを採用しているが、これに限られない。
【００１４】
第１の書込装置５ａから出射された光ビームが帯電部４２Ｂｋ，４２Ｃにより一様帯電された感光体４１Ｂｋ，４１Ｃの表面にスポット照射されることにより、感光体４１Ｂｋ，４１Ｃ表面にはそれぞれの画像情報に応じた静電潜像が書き込まれる。また、第２の書込装置５ｂから出射された光ビームが帯電部４２Ｍ，４２Ｙにより一様帯電された感光体４１Ｍ，４１Ｙの表面にスポット照射されることにより、感光体４１Ｍ，４１Ｙ表面にはそれぞれの画像情報に応じた静電潜像が書き込まれる。
【００１５】
各現像部４３Ｙ，４３Ｍ，４３Ｃ，４３Ｂｋは、感光体４１Ｙ，４１Ｍ，４１Ｃ，４１Ｂｋ上の静電潜像にトナーを付着させることにより、その静電潜像をトナー像として顕像化させるもので、感光体４１Ｙ，４１Ｍ，４１Ｃ，４１Ｂｋに対して非接触状態でトナーを供給する非接触現像方式のものが採用されている。各クリーニング部４４Ｙ，４４Ｍ，４４Ｃ，４４Ｂｋは、感光体４１Ｙ，４１Ｍ，４１Ｃ，４１Ｂｋの表面に付着している転写残トナー等の不要物を除去するもので、感光体表面にブラシを接触させてクリーニングするブラシ接触方式のものが採用されている。
【００１６】
作像部４Ｙ，４Ｍ，４Ｃ，４Ｂｋの鉛直方向下方には、無端状の中間転写ベルト１を張架しながら図中反時計回り方向に無端移動せしめる転写ユニット１２が配設されている。転写手段たる転写ユニット１２は、中間転写ベルト１の他に、テンションローラ２、２次転写対向ローラ３、４つの１次転写ローラ６Ｙ，６Ｍ，６Ｃ，６Ｂｋ、２次転写ローラ７、不図示のベルトクリーニング装置などを備えている。
【００１７】
転写ユニット１２の鉛直方向下方には、シートを複数枚重ねた紙束の状態で収容している給紙カセット１３が配設されている。この給紙カセット１３は、シート束の一番上のシートに給紙ローラ１３ａを当接させており、これを所定のタイミングで図中反時計回り方向に回転させることで、そのシートを送り出す。
【００１８】
各感光体４１Ｙ，４１Ｍ，４１Ｃ，４１Ｂｋ上に形成された各色トナー像が、各一次転写ローラ６Ｙ，６Ｍ，６Ｃ，６Ｂｋによって、順次中間転写ベルト１に互いに重なり合うように転写される。このように重なった中間転写ベルト１上の画像は、２次転写ローラ７によってシートに転写される。
画像が転写されたシートは、その後に定着器１４に搬送され、熱と圧力によって画像がシートに定着される。その後、シートは、排紙ローラ対１５により排紙カバー１６へ排出される。
【００１９】
また、トナーを収納した現像剤収納部たるトナーボトル７０Ｙ，７０Ｍ，７０Ｃ，７０Ｂｋが、書込装置５ａ，５ｂと作像部４Ｙ，４Ｍ，４Ｃ，４Ｂｋとの間に配置されている。各トナーボトル内のトナーは、後述するトナー補給装置６０（図８参照）により、対応する現像部４３Ｙ，４３Ｍ，４３Ｃ，４３Ｂｋに補給される。Ｂｋ色のトナーは、他の色のトナーよりも消費量が多いので、Ｂｋ色トナーを収納したトナーボトル７０Ｋは、他のトナーボトル７０Ｙ，７０Ｍ，７０Ｃよりも外径が大きく、他のトナーボトルよりも多くのトナーを収納している。
【００２０】
次に、書込装置５ａ，５ｂについて説明する。第１，第２の書込装置５ａ，５ｂは、排紙カバー１６の傾斜に略平行に対向するように傾いて設置されていて、両者がプリンタ１０の排紙側から見て一部重なるように配置されている。もちろん略平行でなかったり、重なりがなかったりしても問題ないが、重なる部分をもつことでプリンタ１０を小型化することができる。
【００２１】
第１の書込装置５ａ、第２の書込装置５ｂの構成は、同じであるので、以下の説明では、第１の書込装置５ａについて説明する。
図２は、第１の書込装置５ａの内部を示す斜視図であり、図３は、第１の書込装置５ａの光学ハウジング５００に収納された光学部品を示す斜視図である。
第１の書込装置５ａは、Ｂｋ色の感光体４１ＢｋとＣ色の感光体４１Ｃとに走査光線Ｌを照射するものであり、図２、図３に示すように、ＬＤユニット５１、ポリゴンスキャナ５３、走査レンズ（ｆθレンズ）５４、反射ミラー５５Ｃ，５５Ｂｋ，５６Ｂｋ、シリンドリカルレンズ５７Ｂｋ，５７Ｃ、同期ミラー６１、同期レンズ６２などを有し、これらが光学ハウジング５００に収納されている。光学ハウジング５００は、上面が開放した箱型の形状であり、上面がカバー部材（不図示）で覆われていて、書込装置内への塵芥の侵入を防いでいる。ＬＤユニット５１、ポリゴンスキャナ５３は、光学ハウジング５００の一端側に収納されている。光学ハウジング５００は、ガラス繊維を含有した熱可塑性樹脂で構成されている。
【００２２】
ＬＤユニット５１は、感光体４１Ｂｋに走査光線ＬＢｋを照射するための半導体レーザからなるＢｋ用の光源５２Ｂｋと、感光体４１Ｃに走査光線ＬＣを照射するための半導体レーザからなるＣ用の光源５２Ｃとが固定された制御基板１７１が取り付けられている。ＬＤユニット５１では、Ｂｋ色用の光源５２Ｂｋから出射された光ビームとＣ色用の光源５２Ｃから出射された光ビームとがポリゴンミラー５３ａの同じ位置に照射するようにＢｋ色用光源５２Ｂｋ及びＣ色用光源５２Ｃが制御基板１７１に取り付けられている。これにより、ポリゴンミラーが一枚で済んだり、ポリゴンミラーの高さ（副走査方向長さ）を低く抑えたりすることができ、装置の小型化を図ることができるとともに、装置を安価にすることができる。また、制御基板１７１には、光検知手段としてのフォトＩＣ６３が取り付けられる。
【００２３】
また、ＬＤユニット５１は、Ｂｋ色用のコリメートレンズ５９Ｂｋ、Ｃ色用のコリメートレンズ５９Ｃ、Ｂｋ色用のシリンドリカルレンズ１６０Ｂｋ、Ｃ色用のシリンドリカルレンズ１６０Ｃを保持している。
【００２４】
偏向手段としてのポリゴンスキャナ５３は、正多角柱形状からなる回転多面鏡たるポリゴンミラー５３ａと、不図示のポリゴンモータと、ポリゴンモータの駆動を制御するための電子部品を搭載した回路基板５３ｂとで構成されており、光学ハウジング５００の底面の一端部にネジによって締結されている。ポリゴンミラー５３ａは、その６つの側面に反射鏡を有している。本実施形態においては、ポリゴンミラー５３ａを正六角柱形状として、側面に６つの反射鏡を有しているが、これに限定されるものではない。
【００２５】
ＬＤユニット５１に固定されたＢｋ色用の光源５２Ｂｋから出射された光ビームＬＢｋは、ＬＤユニット５１とポリゴンスキャナ５３との間の光路上に配置されたコリメートレンズ５９Ｂｋにより、発散光ビームが平行光ビームに変換された後、シリンドリカルレンズ１６０Ｂｋを透過することで、副走査方向（感光体表面上における感光体表面移動方向に相当する方向）に集光せしめられ、ポリゴンミラー５３ａに入射する。ポリゴンミラー５３ａに入射した光ビームＬＢｋは、ポリゴンミラー５３ａの反射鏡に反射しながら主走査方向（感光体表面上における軸線方向に相当する方向）に偏向せしめられる。次に、ポリゴンミラー５３ａによって一定の角速度で主走査方向に偏向せしめられる光ビームの偏向方向の移動速度を等速に変換する走査レンズ５４を透過した後、同期ミラー６１で折り返され、同期レンズ６２で集光されて、フォトＩＣ６３に入射する。
【００２６】
フォトＩＣ６３が光ビームＬＢｋを検知すると、同期信号が出力される。そして、同期が取れて光源５２Ｂｋから出射されたＢｋ色の画像データに基づく光ビームＬＢｋが、上述と同様にコリメートレンズ５９Ｂｋ、シリンドリカルレンズ１６０Ｂｋ、ポリゴンミラー５３ａ、走査レンズ５４を順次経由する。そして、走査レンズ５４を経由した光ビームは、第１反射ミラー５５Ｂｋ、第２反射ミラー５６Ｂｋを経由した後、シリンドリカルレンズ５７Ｂｋによりポリゴンミラーの面倒れが補正され、光学ハウジング５００の底面に形成された開口部を覆うようにして設けられた防塵ガラス５８Ｂｋを透過して感光体４１Ｂｋの表面を光走査する。
【００２７】
また、同期信号により同期が取られて光源５２ＣからＣ色の画像データに基づいて出射された光ビームＬＣは、コリメートレンズ５９Ｃ、シリンドリカルレンズ１６０Ｃを通過して、ポリゴンミラー５３ａのＢｋ色の光ビームＬＢｋと、同一の位置に入射する。そして、ポリゴンミラー５３ａの反射鏡に反射しながら主走査方向に偏向せしめられ、走査レンズ５４、第１反射ミラー５５Ｃ、シリンドリカルレンズ５７Ｃ，防塵ガラス５８Ｃを透過して感光体４１Ｃの表面を光走査する。本実施形態においては、１枚の走査レンズ５４を使用する構成であるが、Ｂｋ色用、Ｃ色用それぞれの走査レンズを有する構成でもよい。また、走査レンズ５４として、副走査方向にパワーを持つ走査レンズを用いて、シリンドリカル５７Ｂｋ，５７Ｃを無くしてもよい。
【００２８】
図４は、第１の書込装置５ａ、第２の書込装置５ｂの光学部品を示す斜視図であり、図５は、ポリゴンミラー５３ａ以降の各光ビームＬＢｋ、ＬＣ、ＬＭ、ＬＹの光路を示す図である。
【００２９】
図４に示すように、第２書込装置５ｂの各光学部品の配置関係は、第１光学部品の配置関係と同じ配置関係となっている。また、Ｍ色の光学部品（光源５２Ｍ、コリメートレンズ５９Ｍ、シリンドリカルレンズ１６０Ｍ、第１、第２反射ミラー５５Ｍ、５６Ｍ、シリンドリカルレンズ５７Ｍ）が、第１書込装置５ａのＢｋ色の光学部品と同じ配置関係となっている。また、Ｙ色の光学部品（光源５２Ｙ、コリメートレンズ５９Ｙ、シリンドリカルレンズ１６０Ｙ、第１反射ミラー５５Ｙ、シリンドリカルレンズ５７Ｙ）が、第１書込装置５ｂのＣ色の光学部品と同じ配置関係となっている。
【００３０】
図４、図５に示すように、Ｍ色の光ビームＬＭが、第２書込装置５ｂ内を、Ｂｋ色の光ビームＬＢｋと同様な経路を経て、感光体４１Ｍ表面を光走査し、Ｙ色の光ビームＬＹが、第２書込装置５ｂ内を、Ｃ色の光ビームＬＣと同様な経路を経て、感光体４１Ｙ表面を光走査する。
【００３１】
本実施形態においては、Ｃ色の光束とＢｋ色の光束を、ポリゴンミラーの同一の位置に照射している。これにより、ポリゴンミラーが一枚で済んだり、ポリゴンミラーの高さ（副走査方向長さ）を低く抑えたりすることができ、装置の小型化を図ることができるとともに、装置を安価にすることができる。
【００３２】
図６は、第１、第２光書込装置５ａ、５ｂと、トナーボトル７０Ｂｋ、７０Ｃ、７０Ｍ、７０Ｙとを示す断面図である。
図６に示すように、本実施形態の書込装置の光学ハウジング５００の底面には、２個のアーチ部５０３ａ，５０３ｂが設けられている。第１のアーチ部５０３ａは、ポリゴンスキャナ５３が取り付けられた箇所と、防塵ガラス５８Ｂｋ（５８Ｍ）が取り付けられた開口部との間に形成されている。第２のアーチ部５０３ｂは、防塵ガラス５８Ｂｋ（５８Ｍ）が取り付けられた開口部と防塵ガラス５８Ｃ（５８Ｙ）が取り付けられた開口部との間に形成されている。このように、光学ハウジング５００の底面にアーチ部５０３ａ，５０３ｂを設けることにより、光学ハウジング５００の底面の剛性を高めることができる。
【００３３】
本実施形態においては、トナーボトル７０Ｙ，７０Ｍ，７０Ｃ，７０Ｂｋを、アーチ部に対向させて設けている。第１の書込装置５ａの第１アーチ部５０３ａにＢｋ色のトナーを収納したトナーボトル７０Ｂｋを対向配置し、第２のアーチ部５０３ｂにＣ色のトナーを収納したトナーボトル７０Ｃを対向配置している。また、第２の書込装置５ｂの第１のアーチ部５０３ａにＭ色のトナーを収納したトナーボトル７０Ｍを対向配置し、第２のアーチ部５０３ｂにＹ色トナーを収納したトナーボトル７０Ｙを対向配置している。また、各トナーボトル７０Ｙ，７０Ｍ，７０Ｃ，７０Ｂｋは、それぞれ、アーチ部５０３ａ，５０３ｂの円弧に沿うような筒状の形状であり、一部が光学ハウジング５００に対してオーバーラップ（書込装置を感光体軸方向（Ｙ軸方向）から見たとき、トナーボトル７０の一部が光学ハウジング５００に重なる）ように配置している。このように、各トナーボトル７０Ｙ，７０Ｍ，７０Ｃ，７０Ｂｋを配置することにより、装置の小型化を図ることができる。
【００３４】
図７は、トナーボトル７０Ｃの着脱を示す斜視図である。
図７に示すように、トナーボトル７０Ｃのキャップ部７１Ｃが、画像形成装置の奥側側板９２に設けられたボトル装着部９２１に装着されることで、装置本体に取り付けられる。具体的には、画像形成装置１０の手前側に設置された不図示の本体カバーを開放し、各トナーボトル７０Ｙ，７０Ｍ，７０Ｃ，７０Ｂｋの長手方向を水平方向とした状態で、装置の手前側から各トナーボトル７０Ｙ，７０Ｍ，７０Ｃ，７０Ｂｋの着脱操作（トナーボトル７０の長手方向を着脱方向とする着脱操作（図中Ｙ軸方向））を行う。
【００３５】
次に、トナーボトル７０Ｙから現像部４３Ｙにトナーを補給するトナー補給装置６０Ｙについて説明する。
図８は、トナー補給装置６０Ｙにトナーボトル７０Ｙが設置された状態を示す模式図である。
装置本体に装着されたトナーボトル７０Ｙ内のトナーは、現像部４３Ｙ内のトナー消費に応じて、トナー補給装置６０Ｙによって適宜に現像部４３Ｙ内に補給される。
【００３６】
トナー補給装置６０Ｙは、搬送ノズル６１１Ｙ、搬送スクリュ６１４Ｙ、トナー落下搬送経路６４Ｙ、容器回転駆動部９０１Ｙ等で構成されている。
トナーボトル７０Ｙが図中矢印Ｑの方向へ移動してトナーボトル７０Ｙのキャップ部７１が、奥側側板９２のボトル装着部９２１に装着されると、その装着動作に連動して、トナーボトル７０Ｙの容器先端側からトナー補給装置６０Ｙの搬送ノズル６１１Ｙが挿入され、トナーボトル７０Ｙ内と搬送ノズル６１１Ｙ内とが連通する。
【００３７】
本実施形態のトナーボトル７０Ｙは、ペットボトル容器と同様に一般的にはブロー成形法により成型され、螺旋状の凹凸形体を有した略円筒状であって、主として、装置本体に非回転で保持されるキャップ部７１と、ボトル回転ギア３０１Ｙが一体的に形成されたボトル本体７２Ｙとから主に構成される。ボトル本体７２Ｙは、キャップ部７１Ｙに対して相対的に回転可能に保持されている。
【００３８】
キャップ部７１Ｙがボトル装着部９２１に装着された状態で、駆動モータや駆動ギア等で構成されているボトル回転駆動部９０１Ｙからボトル回転ギア３０１Ｙに回転駆動が入力されることで、ボトル本体７２Ｙが図８中の矢印Ａ方向に回転駆動される。ボトル本体７２Ｙ自体が回転することで、ボトル本体７２Ｙの内周面に螺旋状に形成された螺旋状突起３０２Ｙによって、ボトル本体７２Ｙの内部に収容されたトナーがボトル本体長手方向に沿って図８中の左側から右側へ搬送されて、キャップ部７１Ｙ側から搬送ノズル６１１Ｙ内に供給される。
【００３９】
搬送ノズル６１１Ｙ内には、搬送スクリュ６１４Ｙが配置されており、ボトル回転駆動部９０１Ｙから搬送スクリュギア６０５Ｙに回転駆動が入力されることで、搬送スクリュ６１４Ｙが回転し、搬送ノズル６１１Ｙ内に供給されたトナーを搬送する。搬送ノズル６１１Ｙの搬送方向下流端は、トナー落下搬送経路６４Ｙに接続されており、搬送スクリュ６１４Ｙによって搬送されたトナーは、トナー落下搬送経路６４Ｙを自重落下して現像部４３Ｙ内に補給される。
【００４０】
トナーボトル７０Ｙは、それぞれ、寿命に達したとき（収容するトナーがほとんどすべて消費されて空になったとき）に新品のものに交換される。
【００４１】
上述した書込装置５ａ，５ｂで用いる画像データに基づいて制御部９００がトナー消費量を算出し、制御部９００が現像部４３Ｙへのトナーの供給を要すると判断した場合や、トナー濃度検知センサ４３ａＹの検知結果に基づいて現像部４３Ｙ内のトナー濃度が低下したことを制御部９００にて検出した場合は、制御部９００の制御によってボトル回転駆動部９０１Ｙを回転駆動し、トナーボトル７０Ｙのボトル本体７２Ｙと搬送スクリュ６１４Ｙとを所定時間回転させて現像部４３Ｙへのトナー補給を行う。また、搬送ノズル６１１Ｙ内に配置された搬送スクリュ６１４Ｙを回転することによってトナーの補給を行っているため、搬送スクリュ６１４Ｙの回転数を検出することで、トナーボトル７０Ｙからのトナー供給量を精度良く算出することもできる。そして、トナーボトル７０Ｙを装着したときから累積的に算出したトナー供給量が装着時のトナーボトル７０Ｙ内のトナー量に達した場合には、トナーボトル７０Ｙ内にトナーが無いものとして、画像形成装置１０の不図示の表示部にトナーボトル７０Ｙの交換を促す旨の表示を行う。
また、トナー濃度検知センサ４３ａＹがトナー濃度低下を検知して、補給動作実行し、トナー濃度が回復したか否か判定を複数回繰り返しても、トナー濃度検知センサ４３ａＹによってトナー濃度が回復したことが検知されない場合も、トナーボトル７０Ｙ内にトナーが無いものとして、画像形成装置１０の不図示の表示部にトナーボトル７０Ｙの交換を促す旨の表示を行う。
【００４２】
本実施形態のトナー補給装置６０Ｙでは、搬送スクリュ６１４Ｙの回転数によって現像部４３Ｙへのトナーの供給量を制御している。このため、搬送ノズル６１１Ｙを通過したトナーは、現像部４３Ｙへの供給量を制御されることなく、トナー落下搬送経路６４Ｙを介して、直接に現像部４３Ｙへと搬送される。本実施形態のように、搬送ノズル６１１Ｙをトナーボトル７０Ｙに挿入するトナー補給装置６０Ｙであっても、トナーホッパ等のトナー一次貯留部を設け、このトナー一次貯留部から現像部４３Ｙへのトナーの搬送量を制御することで、現像部４３Ｙへのトナーの供給量を制御する構成としてもよい。また、本実施形態のトナー補給装置６０Ｙでは、搬送ノズル６１１Ｙ内に供給されたトナーを搬送スクリュ６１４Ｙによって搬送する構成としているが、搬送ノズル６１１Ｙ内に供給されたトナーを搬送する構成としては、スクリュ部材に限るものではなく、粉体ポンプを用いて搬送ノズル６１１Ｙの開口部に負圧を発生させる構成など、スクリュ部材以外によって搬送力を付与する構成であってもよい。
【００４３】
トナー一次貯留部を設ける構成では、トナー一次貯留部内に貯留されたトナーが所定量以下になったことを検知するトナーエンドセンサを設置し、トナーエンドセンサのトナーエンド検知に基づいて、ボトル本体７２Ｙ及び搬送スクリュ６１４Ｙを所定時間回転駆動してトナー一次貯留部へのトナー補給を行う。さらに、このような制御を所定回数繰り返してもトナーエンドセンサによるトナーエンド検知が解除されない場合には、トナーボトル７０Ｙ内にトナーがないものとして、画像形成装置１０の不図示の表示部にトナーボトル７０Ｙの交換を促す旨の表示を行う。このように、トナーエンドセンサのトナーエンド検知に基づいてトナーボトル７０Ｙ内のトナーが無くなったことを検出する構成であれば、トナーボトル７０Ｙを装着したときからのトナー供給量を累積的に算出する必要がない。しかし、本実施形態のトナー補給装置６０Ｙのように、トナー一次貯留部を設けない構成であれば、トナー補給装置６０Ｙの小型化を図ることができ、画像形成装置１０全体の小型化を図ることができる。
【００４４】
なお、Ｙ色以外のトナー補給装置やトナーボトル７０Ｍ，７０Ｃ，７０Ｂｋは、作像プロセスに用いられるトナーの色が異なる以外はほぼ同一構造である。
【００４５】
次に、本実施形態の特徴点である書込装置５ａ、５ｂの装置本体への取り付けについて説明する。第１、第２書込装置の構成および装置本体への取り付けは、ほぼ同一である。このため、以下、第１書込装置５ａのみの説明を行い、第２書込装置５ｂの説明を適宜に省略する。
【００４６】
図９は、第１、第２書込装置５ａ、５ｂを装置本体に取り付けた様子を示す斜視図である。
図９に示すように、第１、第２書込装置５ａ、５ｂは、画像形成装置の手前側側板９１と奥側側板９２とにより装置本体に支持されている。
【００４７】
図１０は、第１書込装置５ａを装置手前側見た側面図である。
図１０に示すように、第１書込装置５ａの光学ハウジング５００の手前側側面には、前側筐体固定部５０１が設けられている。そして、先の図９に示すように、画像形成装置の手前側側板９１の上面に設けられた凹状の前側支持部２１に前側筐体固定部５０１載置されて、第１書込装置５ａの手前側が、画像形成装置の手前側側板９１に固定される。
【００４８】
図１１は、前側支持部２１を示す斜視図であり、図１２は、前側筐体固定部５０１が前側支持部２１に載置された様子を示す斜視図であり、図１３は、その断面図である。
図１１に示すように、前側支持部２１は、Ｘ−Ｙ平面に平行なベース面２１ａと、ベース面２１ａの両端からＺ軸方向（高さ方向）に傾斜した傾斜面２１ｂとを有している。また、ベース面２１ａには、ボス部２１ｃが設けられている。ボス部２１ｃには、ネジ穴２１ｄ（図１３参照）が形成されている
【００４９】
図１３に示すように、被固定部としての前側筐体固定部５０１は、図中Ｘ軸方向にある程度の幅を有した断面略Ｗ字形状で、下面５０１ａには、不図示のネジが挿入されるネジ挿入穴５０１ｃを有している。また、前側筐体固定部５０１には、前側支持部２１の傾斜面２１ｂと当接する湾曲形状の曲面部５０１ｂが設けられている。
【００５０】
前側筐体固定部５０１を前側支持部２１の載せると、前側筐体固定部５０１の曲面部５０１ｂが、前側支持部２１の傾斜面２１ｂと当接する。このように、前側筐体固定部５０１の曲面部５０１ｂが、前側支持部２１の傾斜面２１ｂに当接することにより、前側筐体固定部５０１が、装置本体に対して、Ｘ軸方向、Ｚ軸方向に位置決めされる。
【００５１】
このようにして、装置本体に位置決め支持された前側筐体固定部５０１のネジ挿入穴５０１ｃに不図示のネジを挿入して、ボス部２１ｃのネジ穴２１ｄに不図示のネジをネジ込むことで、前側筐体固定部５０１が、前側支持部２１にネジ止めされる。
【００５２】
図１４は、第１書込装置５ａを装置奥側見た側面図である。
図１４に示すように、第１書込装置５ａの光学ハウジング５００の奥側側面には、Ｙ軸方向に所定の間隔を開けて第１後側筐体固定部５０２ａと第２後側筐体固定部５０２ｂとが設けられている。各後側筐体固定部５０２ａ，５０２ｂは、同じ形状をしており、下面５０２１ａ，５０２１ｂが下方へ向けて突出した湾曲形状となっている。また、第１後側筐体固定部５０２ａと第２後側筐体固定部５０２ｂの光学ハウジング５００の奥側側面からの突出量は同じである。
【００５３】
図１５は、第１後側筐体固定部５０２ａが第１奥側支持部２２ａに、第２後側筐体固定部５０２ｂが第２奥側支持部２２ｂにそれぞれ取り付けられた様子を示す要部断面図である。図１６（ａ）は、第１後側筐体固定部５０２ａが、第１奥側支持部２２ａに支持された様子を示す斜視図であり、図１６（ｂ）は、その正面図である。また、図１７（ａ）は、第２後側筐体固定部５０２ｂが第２奥側支持部２２ｂに支持された様子を示す斜視図であり、図１７（ｂ）は、その正面図である。
【００５４】
図１５乃至図１７に示すように、奥側側板９２の第１書込装置５ａと対向する面には、第１の後側筐体固定部５０２ａが固定支持される第１奥側支持部２２ａと、第２の後側筐体固定部５０２ｂが固定支持される第２奥側支持部２２ｂとが、奥側側板９２から突出して設けられている。図１５に示すように、第１、第２後側筐体固定部５０２ａ，５０２ｂは、それぞれ板バネ１２０ａ，１２０ｂにより奥側支持部２２ａ側へ付勢させ、板バネと奥側支持部とにより挟持固定される。
【００５５】
図１５、図１７に示すように、第１奥側支持部２２ａは、ＸＹ平面と平行な面である。第２奥側支持部２２ｂは、図１５、図１６に示すようにＶ字状の溝形状をしている。また、各奥側支持部２２ａ，２２ｂからそれぞれトナーボトル側（鉛直下向き）に傾斜し、後述するように、後側筐体固定部５０２ａ，５０２ｂを奥側支持部２２ａ，２２ｂへ案内するための案内部としての第１案内面１０１Ａ，第２案内面１０２Ａが設けられている。第１案内面１０１Ａ，第２案内面１０２Ａの傾斜角度は、同じ角度となっている。
【００５６】
図１５、図１７に示すように、第１後側筐体固定部５０２ａの湾曲形状の下面５０２１ａが、Ｘ、Ｙ軸方向（水平方向）に平行な平面の第１奥側支持部２２ａ上に載置される。これにより、第１後側筐体固定部５０２ａが、装置本体に対してＺ軸方向に位置決めされる。また、図１５、図１６に示すように、第２後側筐体固定部５０２ｂの湾曲形状の下面５０２１ｂが、第２奥側支持部２２ｂの２個の傾斜面と当接して第２奥側支持部２２ｂ上に載置される。これにより、第２の後側筐体固定部５０２ｂが、装置本体に対してＸ軸方向、Ｚ軸方向に位置決めされる。
【００５７】
本実施形態においては、第１、第２書込装置５ａ，５ｂは、装置本体に対して着脱可能に設けられており、トナーボトル７０Ｙ，７０Ｍ，７０Ｃ，７０Ｂｋと同様、画像形成装置１０の手前側に設置された不図示の本体カバーを開放し、装置の手前側から各書込装置５ａ，５ｂの着脱を行う。
【００５８】
図１８は、第１書込装置５ａを装置本体に装着する様子を示す横断面図であり、図１９は、第１書込装置５ａを装置本体に装着する様子を、装置手前側見た概略図である。
図１９に示すように、画像形成装置１０の手前側に設置された不図示の本体カバーを開放し手前側側板９１を取り外す。そして、装置の手前側から書込装置５ａを画像形成装置内に挿入し、Ｂｋ色のトナーボトル７０ＢｋとＣ色のトナーボトル７０Ｃとの上に置く。具体的には、第１書込装置５ａの第１アーチ部５０３ａが、Ｋ色のトナーボトル７０Ｂｋを覆うようにして置かれ、第２アーチ部５０３ｂが、Ｃ色のトナーボトル７０Ｃを覆うようにして置かれる。これにより、第１書込装置５ａは、Ｂｋ色のトナーボトル７０ＢｋとＣ色のトナーボトル７０Ｃとに支持された状態で装置本体に装着される。そして、図１８に示すように、第１書込装置５ａを、Ｂｋ色のトナーボトル７０ＢｋとＣ色のトナーボトル７０Ｃとに支持された状態で、図中矢印Ｊ方向（装置奥側）へ押し込んでいくと、第１書込装置は、２個のトナーボトル７０Ｂｋ，７０Ｃに案内されながら、装置奥側へ移動していく。
【００５９】
このように、本実施形態においては、画像形成動作に用いられるトナーボトル７０Ｂｋ，７０Ｃにより案内されながら、第１書込装置５ａが画像形成装置１０に装着されるので、第１書込装置５ａを装置奥側に案内するためだけの案内部材を不要にでき、部品点数を削減することができ、装置の低コスト化、装置の軽量化を図ることができる。また、案内部材の配置スペースが不要になり、装置の小型化を図ることができる。また、内部が空洞のトナーボトル７０Ｂｋ，７０Ｃに第１書込装置５ａを当接させることで、第１書込装置５ａをトナーボトル７０Ｂｋ，７０Ｃに当接させたとき、トナーボトル７０Ｂｋ，７０Ｃが衝撃を吸収するクッションの働きを期待できる。これにより、第１書込装置５ａをトナーボトル７０Ｂｋ，７０Ｃに当接させたときの光学ハウジング５００の振動を抑制することができ、光学ハウジング５００に保持された光学系部品が振動によりずれたりするのを抑制することができる。
【００６０】
また、先の図１９に示すように、第１光書込装置５ａの下面には、防塵ガラス５８Ｂｋの光ビームＬＢｋが透過する透過領域以外を覆うカバー部材１７２Ｂｋと、防塵ガラス５８Ｃの光ビームＬＣが透過する透過領域以外を覆うカバー部材１７２Ｃとを有している。カバー部材１７２ＢｋのＢｋ色のトナーボトル７０Ｂｋと対向する部分には、Ｂｋ色のトナーボトル７０Ｂｋと当接する被案内部としての第１当接部１７２Ａが設けられている。また、カバー部材１７２ＢｋのＣ色トナーボトルと対向する部分には、Ｃ色のトナーボトル７０Ｃと当接する被案内部としての第２当接部１７２Ｂが設けられている。また、Ｃ色のカバー部材１７２ＣのＣ色トナーボトル７０Ｃと対向する部分には、被案内部としての第３当接部１７２Ｃが設けられている。第１当接部１７２Ａは、Ｂｋ色のトナーボトル７０Ｂｋの外径形状に合わせ円弧形状となっており、第２、第３当接部１７２Ｂ，１７２Ｃは、Ｃ色のトナーボトル７０Ｃの外形形状の合わせた円弧形状となっている。このように、各当接部をトナーの外形形状に沿うような円弧形状にすることで、トナーボトルと当接部とを面接触することことができ、トナーボトル７０の傷つきを抑制することができる。
【００６１】
本実施形態においては、第２当接部１７２Ｂのトナーボトル７０Ｃに対するＸ軸方向（書込装置装着方向および高さ方向に対して直交する方向）における当接方向を、第１当接部１７２Ａおよび第３当接部１７２Ｃの当接方向と異ならせている。具体的には、第２当接部１７２Ｂは、図中左側の方向からトナーボトル７０Ｃと当接するのに対し、第１、第３当接部１７２Ａ，１７２Ｃは、図中右側の方向からトナーボトル７０Ｂｋ、７０Ｃと当接するのである。このように、各当接部１７２Ａ，１７２Ｂ,１７２Ｃを、各トナーボトル７０Ｃ、７０Ｂｋに当接させることで、第１書込装置５ａが、トナーボトル７０Ｃ，７０Ｂｋにより図中左右方向（Ｘ軸方向）および高さ方向（Ｚ軸方向）に規制されて、装置本体に装着することができる。これにより、第１書込装置５ａを、所定の位置に装着することができる。その結果、書込装置５ａが間違った方向に装着されて第１書込装置５ａが、装置内部の部品と衝突して装置内部の部品が破損するのを抑制することができる。
【００６２】
トナーボトル７０Ｂｋ，７０Ｃの外周には長手方向（Ｙ軸方向）に向かって螺旋形状の凹部が形成されている。このため、各当接部１７２Ａ，１７２Ｂ，１７２Ｃは、凹部に引っ掛からないようにするため、長手方向（Ｙ軸方向）にある程度延設した形状となっている。
【００６３】
また、本実施形態においては、第１書込装置５ａは、上記３箇所の当接部１７２Ａ，１７２Ｂ，１７２Ｃの他に第１アーチ部５０３ａのポリゴンスキャナ側端部（図中左側端部）Ｓが、Ｂｋ色のトナーボトル７０Ｂｋと当接しており、第１書込装置５ａは、トナーボトル７０Ｃ，７０Ｂｋに対して４箇所で当接している。しかし、第１書込装置５ａの加重分散のため、第１書込装置５ａのトナーボトル７０Ｃ，７０Ｂｋとの当接箇所を４箇所以上設けてもよい。また、本実施形態においては、防塵ガラス５８のカバー部材１７２に当接部を設けているが、光学ハウジング５００の一体物（光学ハウジングと当接部とを一体成型により成型）としてもよい。また、第１アーチ部５０３ａを、トナーボトル７０Ｂｋの外形に沿った円弧状にし、第２アーチ部５０３ｂを、トナーボトル７０Ｃの外形に沿った円弧状として、第１アーチ部５０３ａ、第２アーチ部５０３ｂを被案内部としてもよい。
【００６４】
当接部を、光学ハウジング５００と一体物（一体成型）とすることで、部品点数を削減でき、組付け工数などを削減できるというメリットがある。一方、光学ハウジング５００とは別部材のカバー部材１７２に当接部を設けることで、案内中に当接部が万一の破損しても、カバー部材１７２の交換のみで対応できるというメリットがある。また、トナーボトル７０に当接部を当接させたときの振動が、高精度に調整した光学系部品を保持する光学ハウジング５００に直接伝達することがない。これにより、トナーボトル７０に当接部を当接させたときの振動により光学ハウジング５００に保持された光学系部品がずれてしまうのを抑制できるというメリットがある。当接部を、光学ハウジング５００と一体物にするか、別部材とするかは、装置構成等を考慮して適宜選択すればよい。
【００６５】
また、図１９に示すように、第１書込装置５ａの重心は、図中最も右側のトナーボトルとの当接箇所（第３当接部とＣ色のトナーボトル７０Ｃとの当接箇所）から図中最も左側のトナーボトルとの当接箇所（第１アーチ部５０３ａのポリゴンスキャナ側端部ＳとＢｋ色トナーボトル７０Ｂｋとの当接箇所）の間の領域Ｇ１にあるのが好ましい。この領域Ｇ１に第１光書込装置５ａの重心が存在することで、Ｂｋ色のトナーボトル７０ＢｋとＣ色のトナーボトル７０Ｃとで、第１書込装置５ａを安定的に支えることができる。
【００６６】
また、本実施形態においては、第１アーチ部５０３ａの形状、Ｂｋ色トナーボトル７０Ｂｋの配置位置になどにより、Ｂｋ色のトナーボトル７０Ｂｋの外径が、Ｃ色のトナーボトル７０Ｃの外径よりも大きくても、Ｂｋ色トナーボトル７０ＢｋとＣ色トナーボトル７０Ｃとで第１書込装置５ａを、装置本体装着時と同じ姿勢で支えている。しかし、装置構成においては、Ｂｋ色トナーボトル７０ＢｋとＣ色トナーボトル７０Ｃとで、第１書込装置５ａが装置本体装着時と同じ姿勢に対して図中時計回りに傾いた姿勢で支えられる場合もある。このような場合は、第１書込装置５ａの重心を、第１アーチ部５０３ａのポリゴンスキャナ側端部ＳとＢｋ色トナーボトル７０Ｂｋとの当接箇所から、第１当接部１７２ＡとＢｋ色のトナーボトル７０Ｂｋとの当接箇所までの間の領域Ｇ２に設けるのが好ましい。こうすることで、Ｂｋ色のトナーボトル７０ＢｋとＣ色のトナーボトル７０Ｃとで、第１書込装置５ａを安定的に支えることができる。なお、このように、Ｂｋ色トナーボトル７０ＢｋとＣ色トナーボトル７０Ｃとで、第１書込装置５ａが装置本体装着時と同じ姿勢に対して図中時計回りに傾いた姿勢で支えられたとしても良好に２個のトナーボトル７０Ｂｋ、７０Ｃにより、装置奥側へ第１書込装置５ａを案内することができる。
【００６７】
図２０は、第２書込装置５ｂを装置本体に装着する様子を、装置手前側見た概略図である。
図２０に示すように、第２書込装置５ｂは、第１書込装置５ａとほぼ同様な構成で、装着時、２個のトナーボトル７０Ｍ、７０Ｙに支持される。すなわち、Ｍ色の防塵ガラス５８Ｍをカバーするカバー部材１７２Ｍに設けられた第１当接部１７２Ａと、第２書込装置５ｂの第１アーチ部５０３ａのポリゴンスキャナ側端部Ｓとが、Ｍ色のトナーボトル７０Ｍに当接する。また、Ｍ色のカバー部材１７２Ｍに設けられた第２当接部１７２Ｂと、Ｙ色の防塵ガラス５８Ｙをカバーするカバー部材１７２Ｙに設けられた第３当接部１７２ＣとがＹ色のトナーボトル７０Ｙに当接している。そして、第２書込装置５ｂの重心Ｇが、図中最も右側のトナーボトルとの当接箇所（第３当接部１７２ＣとＣ色のトナーボトル７０Ｃとの当接箇所）から図中最も左側のトナーボトルとの当接箇所（第１アーチ部５０３ａのポリゴンスキャナ側端部ＳとＭ色トナーボトル７０Ｍとの当接箇所）の間の領域Ｇ１に設けている。これにより、第２書込装置５ｂも２個トナーボトル７０Ｍ，７０Ｙに案内されながら、安定的に装置奥側へ移動する。
【００６８】
先の図１８に示す状態から、書込装置５をトナーボトル７０に案内されながらさらに装置奥側へ移動させていくと、第１後側筐体固定部５０２ａの先端が、第１案内面１０１Ａ（図１７参照）に当接する。また、これと同時に、第２後側筐体固定部５０２ｂの先端が第２案内面１０２Ａ（図１６参照）に当接する。この状態からさらに書込装置５を装置奥側へと移動させると、各後側筐体固定部５０２ａ，５０２ｂが、各案内面１０１Ａ，１０２Ａに案内され、上方へと移動し、書込装置５がトナーボトル７０から離間する。そして、図２１に示すように、第１後側筐体固定部５０２ａが、第１奥側支持部２２ａと第１板バネ部材１２０ａとの間に挿入され、第１奥側支持部２２ａと第１板バネ部材１２０ａとで挟持固定される。また、これと同時に、第２後側筐体固定部５０２ｂが、第２奥側支持部２２ｂと第２板バネ部材１２０ａとの間に挿入され、第２後側筐体固定部５０２ｂが、第２奥側支持部２２ｂと第２板バネ部材１２０ｂとに挟持固定される。このように、各後側筐体固定部５０２ａ，５０２ｂが、挟持固定されたら、手前側側板９１を装置本体に取り付け、その後、先の図９に示すように、手前側側板９１の上面に設けられた前側支持部２１に前側筐体固定部５０１載置する。そして、前側筐体固定部５０１を前側支持部２１にネジ止めし、光書込装置５を装置本体に位置決め固定する。
【００６９】
このように、各奥側支持部２２ａ，２２ｂからそれぞれトナーボトル側（鉛直下向き）に傾斜した各案内面１０１Ａ，１０２Ａにより、書込装置５が案内されることで、書込装置５を奥側へ移動させるだけで、トナーボトル７０から離間させることができる。これにより、書込装置５の装着作業性を向上させることができる。そして、書込装置５が位置決め固定された後は、先の図６に示すように、書込装置５とトナーボトル７０とは、所定のギャップを持って対向配置される。これにより、書込装置５がトナーボトル７０の回転を阻害することがない。
【００７０】
また、第１、第２後側筐体固定部５０２ａ，５０２ｂの光学ハウジング奥側側面からの突出量を同じにし、また、第１、第１案内面１０１Ａ，１０２Ａの傾斜角度を同じにして、第１、第２後側筐体部５０２ａ、５０２ｂを、同時に案内面１０１Ａ，１０２Ａに当接させ、第１後側筐体部５０２ａ側、第２後側筐体部５０２ａ側で、同時に同じ量、書込装置５を持上げるようにしている。これにより、書込装置５を、トナーボトル７０から離間させるときに、書込装置５が装着方向（Ｙ軸方向）回りに回転することがない。これにより、書込装置５は、トナーボトル７０に案内させながら移動しているときと同じ姿勢で、トナーボトル７０から離間させることができ、書込装置５の装着作業性を向上させることができる。
【００７１】
また、第１書込装置５ａ、第２書込装置５ｂの構成が異なる場合は、各書込装置の光学ハウジング５００の手前側側面に対向するトナーボトルに収納されているトナーと同じ色のマークを付けておく。これにより、半透明のトナーボトル内のトナー色と、各書込装置の光学ハウジング５００の手前側側面に付けられたマークの色とを確認して、書込装置を装着することができる。これにより、書込装置の誤装着を抑制することができる。
【００７２】
また、装置の構成によっては、手前側側板９１の取り外しができない場合がある。このような場合の書込装置の装着を、第２書込装置５ｂを例にして、図２２〜図２４を用いて説明する。なお、第１書込装置５ａにおいても同様である。
図２２に示すように、手前側側板９１の取り外しができない場合、手前側側板９１の斜め上方から第２光書込装置５ｂを画像形成装置１０に挿入し、図２３に示すように、第２書込装置５ｂの挿入先端をトナーボトル７０Ｍ，７０Ｙの上に載せる。この状態で、第２書込装置５ｂを、装置奥側へ移動させる。この場合も、第２書込装置５ｂが、２個のトナーボトル７０Ｙ，７０Ｍに案内されながら、装置奥側へ移動することができる。また、この場合においても、先の図１９、図２０に示した構成と同じ構成とすることで、第２書込装置５ｂが、トナーボトル７０Ｙ，７０Ｍにより図中左右方向（Ｘ軸方向）および高さ方向（Ｚ軸方向）に規制されて、装置本体に装着することができる。これにより、第２書込装置５ｂが間違った方向に装着されるのを抑制することができる。
【００７３】
また、この場合、図２４に示すように、各後側筐体固定部５０２ａ，５０２ｂの先端が、先の図１８に示すような姿勢で装着された場合に比べて、下側（トナーボトル側）にある。このような場合でも、各後側筐体部５０２ａ，５０２ｂの先端が、各案内面１０１Ａ，１０２Ａに当接できるように、各案内面１０１Ａ，１０２Ａの高さ方向の長さを、書込装置装着後のトナーボトルと書込装置とのギャップより長くしている。これにより、各後側筐体部５０２ａ，５０２ｂの先端が、先の図１８に示すような姿勢で装着された場合に比べて、多少、下側（トナーボトル側）にあっても、各後側筐体部５０２ａ，５０２ｂの先端を各案内面１０１Ａ，１０２Ａに当接させることができる。その結果、各案内面１０１Ａ，１０２Ａで、各各後側筐体部５０２ａ，５０２ｂを上方へ案内して、奥側支持部２２ａ，２２ｂへ移動させることができる。
【００７４】
以上に説明したものは一例であり、本発明は、次の（１）〜（８）の態様毎に特有の効果を奏する。
（１）
感光体４１などの潜像担持体と、上記潜像担持体上に画像情報に応じた光ビームなどの書込光を偏向走査することにより照射して潜像担持体上に潜像を形成する光書込装置５と、上記潜像担持体上の潜像を現像する現像部４３と、トナーなどの現像剤を収納したトナーボトルなどの現像剤収納部と、現像剤収納部の現像剤を現像部４３へと補給するトナー補給装置６０などの現像剤補給装置とを備え、上記光書込装置５が、装置本体に対して着脱可能に設けられた画像形成装置１０において、上記光書込装置５が、上記現像剤収納部に案内されて装置本体に対して着脱されるよう構成した。
かかる構成を備えることで、実施形態で説明したように、画像形成動作に直接関係ない光書込装置を案内するためだけのガイド部材を無くすことができる。これにより、部品点数を削減することができ、装置の低コスト化、装置の軽量化を図ることができる。また、ガイド部材の配置スペースが不要になり、装置の小型化を図ることができる。
【００７５】
（２）
また、上記（１）に記載の態様の画像形成装置１０において、上記光書込装置５の装置本体の着脱時に上記現像剤収納部に案内される当接部１７２Ａ，１７２Ｂ，１７２Ｃなどの被案内部を、上記現像剤収納部の外形形状に沿うような形状とした。
かかる構成を備えることで、現像剤収納部と被案内部とを面接触することことができ、現像剤収納部の傷つきを抑制することができる。
【００７６】
（３）
上記（１）または（２）に記載の態様の画像形成装置において、上記現像剤収納部は、上記光書込装置の鉛直方向下方に配置されており、上記光書込装置は、上記現像剤収納部に支持されながら案内される。
かかる構成を備えることで、上記光書込装置を、上記現像剤収納部上でスライド移動させることで、装置本体に着脱することができる。
【００７７】
（４）
上記（１）乃至（３）いずれかに記載の態様の画像形成装置１０において、上記光書込装置５を装置本体内で位置決めする後側支持部２２ａ，２２ｂなどの位置決め部と、上記光書込装置５を装置本体に装着するとき、上記現像剤収納部により案内されてきた上記光書込装置５を、上記現像剤収納部から離間する方向へ案内し、上記位置決め部へと導く第１案内面１０１Ａ，第２案内面１０２Ａなどの案内部とを設けた。
かかる構成を備えることで、位置決め部に容易に光書込装置を移動することができ、光書込装置の着脱作業を容易に行うことができる。
【００７８】
（５）
また、上記（４）に記載の態様の画像形成装置１０において、上記光書込装置５は、上記光書込装置５の装置本体への装着方向に突出し、上記位置決め部に当接して位置決めされる後側筐体固定部５０２ａ，５０２ｂなどの被位置決め部を備え、上記案内部は、上記被位置決め部と当接して上記被位置決め部を上記位置決め部へと導くものであって、上記案内部は、上記位置決め部から上記現像剤収納部側へ延びており、
上記案内部の上記光書込装置が上記現像剤収納部から離間する方向の長さを、上記光書込装置装着後の上記現像剤収納部と上記光書込装置との空間距離より長くした。
かかる構成を備えることで、実施形態で説明したように、光書込装置が、装着方向に対して傾斜した姿勢で、現像剤収納部に案内されて移動してきたときでも、上記被位置決め部を、案内部に当接させることができる。これにより、上記姿勢で光書込装置を移動させたとしても、案内部で被位置決め部を位置決め部に案内することができる。
【００７９】
（６）
また、上記（４）または（５）に記載の態様の画像形成装置１０において、上記位置決め部および上記案内部は、上記光書込装置５の装置本体への装着方向（本実施形態のＹ軸方向）および上記光書込装置が上記現像剤収納部から離間する方向（本実施形態のＺ軸方向）いずれに対しても直交する方向（本実施形態のＸ軸方向）に複数有しており、上記光書込装置は、複数の案内部に同時に案内されるよう構成した。
かかる構成を備えることで、実施形態で説明したように、光書込装置の着脱時に、光書込装置が着脱方向回りに回転することなく、光書込装置を着脱することができる。
【００８０】
（７）
また、上記（１）乃至（６）いずれかに記載の態様の画像形成装置１０において、上記現像剤収納部を複数備え、上記光書込装置は、複数の現像剤収納部に支持されながら案内されるものであって、上記光書込装置の重心が、ある現像剤収納部との支持位置と、この現像剤収納部とは別の現像剤収納部の支持位置との間に位置するよう構成した。
かかる構成を備えることで、光書込装置を複数の現像剤収納部によって安定的に支持して、光書込装置をガイドすることができる。
【００８１】
（８）
また、上記（１）乃至（７）いずれかに記載の態様の画像形成装置１０において、上記光書込装置５は、現像剤収納部に支持されながら案内され、かつ、複数箇所上記現像剤収納部と当接するものであって、鉛直方向および上記光書込装置装着方向に対して直交する方向において、上記光書込装置の上記現像剤収納部との複数の当接箇所の少なくともひとつの現像剤収納部との当接方向を、他の当接箇所の当接箇所の当接方向と異ならせた。
かかる構成とすることにより、光書込装置を、現像剤収納部によって鉛直方向および上記光書込装置装着方向いずれに対しても直交する方向（本実施形態のＸ軸方向）に規制しながら、光書込装置を移動させることができる。これにより、間違った方向に光書込装置５を装着してしまうのを防止することができ、光書込装置５が、装置内の部品と衝突してしまい、装置内の部品が破損したりするのを防止することができる。
【符号の説明】
【００８２】
５ａ：第１光書込装置
５ｂ：第２光書込装置
１０：画像形成装置
２１：前側支持部
２２ａ：第１奥側支持部
２２ｂ：第２奥側支持部
４１：感光体
４３：現像部
５８：防塵ガラス
６０：トナー補給装置
７０：トナーボトル
９１：手前側側板
９２：奥側側板
１０１Ａ：第１案内面
１０２Ａ：第２案内面
１２０ａ：第１板バネ部材
１２０ｂ：第２板バネ部材
１７２：カバー部材
１７２Ａ：第１当接部
１７２Ｂ：第２当接部
１７２Ｃ：第３当接部
３０２Ｙ：螺旋状突起
５００：光学ハウジング
５０１：前側筐体固定部
５０２ａ：第１後側筐体固定部
５０２ｂ：第２後側筐体固定部
５０３ａ：第１アーチ部
５０３ｂ：第２アーチ部
【先行技術文献】
【特許文献】
【００８３】
【特許文献１】特開平２−２９７５６６号公報
【図１】
0005939460.tif 000002
【図２】
0005939460.tif 000003
【図３】
0005939460.tif 000004
【図４】
0005939460.tif 000005
【図５】
0005939460.tif 000006
【図６】
0005939460.tif 000007
【図７】
0005939460.tif 000008
【図８】
0005939460.tif 000009
【図９】
0005939460.tif 000010
【図１０】
0005939460.tif 000011
【図１１】
0005939460.tif 000012
【図１２】
0005939460.tif 000013
【図１３】
0005939460.tif 000014
【図１４】
0005939460.tif 000015
【図１５】
0005939460.tif 000016
【図１６】
0005939460.tif 000017
【図１７】
0005939460.tif 000018
【図１８】
0005939460.tif 000019
【図１９】
0005939460.tif 000020
【図２０】
0005939460.tif 000021
【図２１】
0005939460.tif 000022
【図２２】
0005939460.tif 000023
【図２３】
0005939460.tif 000024
【図２４】
0005939460.tif 000025